(57)【要約】【課題】持柄部の押下及び持ち上げ操作により播種作業を行うことができ、楽な姿勢で容易に播種作業を行うことができる。【解決手段】持柄部１に播種部２を設け、播種部に複数個の種子Ｓ・・を収納可能な種子収納部３、種子収納部内の種子を一粒又は数粒ずつ分離可能な種子分離部４及び種子分離部から分離された種子を土壌Ｄ上に排出案内する種子排出部５を設けてなり、種子排出部を土壌に当接し、種子排出部の当接静止状態において持柄部を復帰用バネ９に抗して押下し、持柄部の押下により分離杆部６を種子収納部内及び種子排出部内で下降摺動させ、分離杆部の下降摺動及び受入凹部７と分離板部８との協動により種子を一粒又は数粒ずつ種子分離部を介して土壌上に分離排出すると共に土壌上の種子を分離杆部の先端部で土壌中に押し込むように構成してなる。【選択図】図５
2014209875.tif 000002
【特許請求の範囲】
【請求項１】
持柄部に播種部を設け、該播種部に複数個の種子を収納可能な種子収納部、該種子収納部内の種子を一粒又は数粒ずつ分離可能な種子分離部及び該種子分離部から分離された種子を土壌上に排出案内する種子排出部を設けてなり、上記種子分離部として、上記持柄部に上記種子収納部内及び種子排出部内に挿通可能な分離杆部を摺動自在に設け、該分離杆部に一粒又は数粒の種子を受入可能な受入凹部を設け、該種子収納部と該種子排出部との間に該分離杆部の受入凹部と協動して種子収納部内の複数個の種子を種子排出部内に一粒又は数粒ずつ分離排出する分離板部を設け、該種子収納部及び該種子排出部を該分離杆部に対して下降摺動させる復帰用バネを設けると共に該種子収納部及び該種子排出部を該分離杆部に対する下降摺動限度を定めるストッパー部を設けてなり、上記種子排出部を土壌に当接し、該種子排出部の当接静止状態において上記持柄部を上記復帰用バネに抗して押下し、該持柄部の押下により上記分離杆部を上記種子収納部内及び種子排出部内で下降摺動させ、該分離杆部の下降摺動及び該受入凹部と該分離板部との協動により種子を一粒又は数粒ずつ上記種子分離部を介して土壌上に分離排出すると共に土壌上の種子を分離杆部の先端部で土壌中に押し込むように構成したことを特徴とする手持播種器。
【請求項２】
上記持柄部の押下による上記分離杆部の下降摺動時において、該分離杆部を上記受入凹部が上記種子収納部内から上記種子排出部内に臨む位置で一時停留させる停留機構を設けてなることを特徴とする請求項１記載の手持播種器。
【請求項３】
上記停留機構として、上記分離杆部に停留溝部を設け、上記種子収納部に該停留溝部に嵌脱可能な嵌脱ピンを摺動自在に設け、該嵌脱ピンを該停留溝部に嵌脱させる嵌脱用バネを設けてなることを特徴とする請求項２記載の手持播種器。
【請求項４】
上記持柄部は伸縮調節自在に設けられていることを特徴とする請求項１〜３のいずれか１項に記載の手持播種器。
【請求項５】
上記種子収納部及び該種子排出部は外部から内部を透視可能な透明部材により形成されていることを特徴とする請求項１〜４のいずれか１項に記載の手持播種器。
【発明の詳細な説明】
【技術分野】
【０００１】
本発明は、例えば、野菜や草花の種子を畑地や菜園などの土壌に一粒又は数粒ずつ点播可能な手持播種器に関するものである。
【背景技術】
【０００２】
従来、この種の手持播種器は、持柄部に播種部を設け、播種部に複数個の種子を収納可能な種子収納部、種子収納部内の種子を一粒又は数粒ずつ分離可能な種子分離部及び種子分離部から分離された種子を土壌上に排出案内する種子排出部を設けてなり、上記種子分離部には水平方向に往復摺動可能なスライド部材が設けられ、スライド部材に分離穴部が形成され、スライド部材の往復摺動及び分離穴部の開閉により種子を一粒又は数粒ずつ分離し、分離された種子を土壌に点播する構造のものが知られている。
【先行技術文献】
【特許文献】
【０００３】
【特許文献１】特許第４８５５５４３号
【発明の概要】
【発明が解決しようとする課題】
【０００４】
しかしながら上記従来構造の場合、種子収納部を持った状態において、上記種子分離部のスライド部材を手で掴んでスライド部材を往復摺動させ、種子排出部より土壌上に種子を一粒又は数粒ずつ分離して落下させ、種子の点播作業を行うことになり、このため、スライド部材の水平往復摺動操作が必要となって点播作業性が低下することがあるという不都合を有している。
【課題を解決するための手段】
【０００５】
本発明はこれらの不都合を解決することを目的とするもので、本発明のうちで、請求項１記載の発明は、持柄部に播種部を設け、該播種部に複数個の種子を収納可能な種子収納部、該種子収納部内の種子を一粒又は数粒ずつ分離可能な種子分離部及び該種子分離部から分離された種子を土壌上に排出案内する種子排出部を設けてなり、上記種子分離部として、上記持柄部に上記種子収納部内及び種子排出部内に挿通可能な分離杆部を摺動自在に設け、該分離杆部に一粒又は数粒の種子を受入可能な受入凹部を設け、該種子収納部と該種子排出部との間に該分離杆部の受入凹部と協動して種子収納部内の複数個の種子を種子排出部内に一粒又は数粒ずつ分離排出する分離板部を設け、該種子収納部及び該種子排出部を該分離杆部に対して下降摺動させる復帰用バネを設けると共に該種子収納部及び該種子排出部を該分離杆部に対する下降摺動限度を定めるストッパー部を設けてなり、上記種子排出部を土壌に当接し、該種子排出部の当接静止状態において上記持柄部を上記復帰用バネに抗して押下し、該持柄部の押下により上記分離杆部を上記種子収納部内及び種子排出部内で下降摺動させ、該分離杆部の下降摺動及び該受入凹部と該分離板部との協動により種子を一粒又は数粒ずつ上記種子分離部を介して土壌上に分離排出すると共に土壌上の種子を分離杆部の先端部で土壌中に押し込むように構成したことを特徴とする手持播種器にある。
【０００６】
又、請求項２記載の発明は、上記持柄部の押下による上記分離杆部の下降摺動時において、該分離杆部を上記受入凹部が上記種子収納部内から上記種子排出部内に臨む位置で一時停留させる停留機構を設けてなることを特徴とするものであり、又、請求項３記載の発明は、上記停留機構として、上記分離杆部に停留溝部を設け、上記種子収納部に該停留溝部に嵌脱可能な嵌脱ピンを摺動自在に設け、該嵌脱ピンを該停留溝部に嵌脱させる嵌脱用バネを設けてなることを特徴とするものである。
【０００７】
又、請求項４記載の発明は、上記持柄部は伸縮調節自在に設けられていることを特徴とするものであり、又、請求項５記載の発明は、上記種子収納部及び該種子排出部は外部から内部を透視可能な透明部材により形成されていることを特徴とするものである。
【発明の効果】
【０００８】
本発明は上述の如く、請求項１記載の発明にあっては、上記種子排出部を土壌に当接し、種子排出部の当接静止状態において上記持柄部を上記復帰用バネに抗して押下し、持柄部の押下により上記分離杆部は上記種子収納部内及び種子排出部内で下降摺動し、分離杆部の下降摺動及び受入凹部と分離板部との協動により種子収納部内の種子は一粒又は数粒ずつ上記種子分離部を介して種子排出部内に分離排送され、分離排送された種子排出部内の種子は土壌上に分離排出され、分離杆部の更なる下降により土壌上の種子は分離杆部の先端部で土壌中に押し込まれ、これにより一粒又は数粒の播種作業が行われ、播種後、上記持柄部を持ち上げて上記種子排出部を土壌から離反し、この分離杆部の持ち上げにつれて上記種子収納部及び種子排出部は上記復帰用バネにより分離杆部上を下降し、種子収納部及び種子排出部はストッパー部により元の下降摺動限度位置に降下し、種子排出部が土壌上から離反することになり、従って、持柄部の押下及び持ち上げ操作により播種作業を行うことができ、楽な姿勢で容易に播種作業を行うことができる。
【０００９】
又、請求項２記載の発明にあっては、上記持柄部の押下による上記分離杆部の下降摺動時において、該分離杆部を上記受入凹部が上記種子収納部内から上記種子排出部内に臨む位置で一時停留させる停留機構を設けているから、分離杆部の下降摺動及び受入凹部と分離板部との協動により種子収納部内の種子が一粒又は数粒ずつ上記種子分離部を介して種子排出部内に分離排送されるとき、停留機構により分離杆部の下降摺動が一時停留され、この一時停留により種子収納部から種子分離部を介して種子排出部へと排送される種子の分離排送時間を確保することができ、種子収納部内の種子を上記種子分離部を介して種子排出部内に確実に分離排送することができ、種子排出部から土壌上に種子を確実に排出することができ、分離杆部の更なる下降により土壌上の種子を分離杆部の先端部で確実に土壌中に押し込むことができ、良好に播種作業を行うことができ、又、請求項３記載の発明にあっては、上記停留機構として、上記分離杆部に停留溝部を設け、上記種子収納部に停留溝部に嵌脱可能な嵌脱ピンを摺動自在に設け、嵌脱ピンを停留溝部に嵌脱させる嵌脱用バネを設けてなるから、分離杆部の下降摺動が確実に一時停留され、土壌上の種子を分離杆部の先端部で確実に土壌中に押し込むことができ、持柄部の押下及び持ち上げ操作により播種作業を行うことができ、楽な姿勢で容易に播種作業を行うことができる。
【００１０】
又、請求項４記載の発明にあっては、上記持柄部は伸縮調節自在に設けられているから、作業者の身長等に適合することができ、播種作業を良好に行うことができ、又、請求項５記載の発明にあっては、上記種子収納部及び種子排出部は外部から内部を透視可能な透明部材により形成されているから、種子の残量や分離状態を視認することができ、使用の利便性を高めることができる。
【図面の簡単な説明】
【００１１】
【図１】本発明の実施の形態例の全体側面図である。
【図２】本発明の実施の形態例の拡大断面図である。
【図３】本発明の実施の形態例の部分平断面図である。
【図４】本発明の実施の形態例の部分平断面図である。
【図５】本発明の実施の形態例の使用状態の拡大断面図である。
【図６】本発明の実施の形態例の使用状態の拡大断面図である。
【図７】本発明の実施の形態例の使用状態図である。
【発明を実施するための形態】
【００１２】
図１乃至図７は本発明の実施の形態例を示し、１は持柄部、２は播種部であって、この播種部２は複数個の種子Ｓを収納可能な種子収納部３、種子収納部３内の種子Ｓを一粒又は数粒ずつ分離可能な種子分離部４及び種子分離部４から分離された種子Ｓを土壌Ｄ上に排出案内する種子排出部５から構成されている。
【００１３】
この場合、図１、図２の如く、上記種子収納部３は外筒３ａ及び上板３ｂからなり、種子排出部５は外筒５ａ及び底板５ｂからなり、底板５ｂに排出穴５ｃが形成され、上記持柄部１は数本の持柄杆を相互に着脱連結可能に構成して伸縮調節自在に設けられ、又、上記種子収納部３及び種子排出部５は外部から内部を透視可能な透明部材により形成されている。
【００１４】
この場合、図２、図３、図４、図５、図６の如く、上記種子分離部４として、上記持柄部１の下端部に上記種子収納部３内及び種子排出部５内を挿通可能な分離杆部６を摺動自在に設け、この場合、種子収納部３の上板３ｂに分離杆部６が挿通可能な挿通穴３ｃが形成され、分離杆部６に一粒又は数粒の種子Ｓ・・を受入可能な受入凹部７を設け、種子収納部３と種子排出部５との間に分離杆部６の受入凹部７と協動して種子収納部３内の複数個の種子Ｓ・・を種子排出部５内に一粒又は数粒ずつ分離排出する種子分離部４を設け、種子分離部４は分離板部８からなり、分離板部８に分離杆部６が挿通可能な分離穴８ａが形成され、種子収納部３内への種子Ｓの補給時等の為に外筒３ａと分離板部８とは着脱可能に螺着され、分離板部８と外筒５ａとは固着され、種子収納部３及び種子排出部５を分離杆部６に対して下降摺動させる復帰用バネ９を設け、この場合、分離杆部６の上端部にボルト６ｂを形成し、持柄部１の下端部にボルト６ｂを螺着し、ナット１ａにより持柄部１と分離杆部６とを連結し、分離杆部６に種子収納部３及び種子排出部５を種子収納部３の上板３ｂに当接して分離杆部６に対する下降摺動限度を定める径小周段部状のストッパー部１０を設けて構成している。
【００１５】
１１は停留機構であって、図２、図３の如く、上記持柄部１の押下による上記分離杆部６の下降摺動時において、分離杆部６を上記受入凹部７が上記種子収納部３内から上記種子排出部５内に臨む位置で一時停留させるように構成され、この場合、上記停留機構１１として、上記分離杆部６に停留溝部６ａを設け、上記種子収納部３に停留溝部６ａに嵌脱可能な嵌脱ピン１１ａを摺動自在に設け、この場合、種子収納部３にネジ穴１１ｃを形成し、ネジ穴１１ｃにボルト１１ｄを螺着し、ボルト１１ｄに嵌脱ピン１１ａを摺動自在に内装すると共に嵌脱ピン１１ａを停留溝部６ａに嵌脱させる嵌脱用バネ１１ｂを設けて構成している。
【００１６】
この実施の形態例は上記構成であるから、図７の如く、上記種子排出部５を土壌Ｄに当接し、種子排出部５の当接静止状態において、上記持柄部１を上記復帰用バネ９に抗して押下し、持柄部１の押下により、図２の状態から図５の状態に上記分離杆部６は上記種子収納部３内及び種子排出部５内で下降摺動し、分離杆部６の下降摺動及び受入凹部７と分離板部８の分離穴８ａとの協動により種子収納部３内の種子Ｓは一粒又は数粒ずつ上記種子分離部４を介して種子排出部５内に分離排送され、分離排送された種子排出部５内の種子Ｓは排出穴５ａを介して土壌Ｄ上に分離排出され、図６の如く、分離杆部６の更なる下降により土壌Ｄ上の種子Ｓは分離杆部６の先端部で土壌Ｄ中に押し込まれ、これにより一粒又は数粒の播種作業が行われ、播種後、上記持柄部１を持ち上げて上記種子排出部５を土壌Ｄから離反し、この分離杆部６の持ち上げにつれて上記種子収納部３及び種子排出部５は上記復帰用バネ９により分離杆部６上を下降し、種子収納部３及び種子排出部５はストッパー部１０により元の下降摺動限度位置に降下し、種子排出部５が土壌Ｄ上から離反することになり、従って、図７の如く、持柄部１の押下及び持ち上げ操作Ｋにより播種作業を行うことができ、楽な姿勢で容易に播種作業を行うことができる。
【００１７】
この場合、図５の如く、上記持柄部１の押下による上記分離杆部６の下降摺動時において、分離杆部６を上記受入凹部７が上記種子収納部３内から上記種子排出部５内に臨む位置で一時停留させる停留機構１１を設けているから、図２から図５の如く、分離杆部６の下降摺動及び受入凹部７と分離板部８の分離穴８ａとの協動により種子収納部３内の種子Ｓが一粒又は数粒ずつ上記種子分離部４を介して種子排出部５内に分離排送されるとき、図５の如く、停留機構１１により分離杆部６の下降摺動が一時停留され、上記種子分離部４を介して種子排出部５内に分離される位置を手で感得することもでき、この一時停留により種子収納部３から種子分離部４を介して種子排出部５へと排送される種子Ｓの分離排送時間を確保することができ、種子収納部３内の種子Ｓを上記種子分離部４を介して種子排出部５内に確実に分離排送することができ、種子排出部５から土壌Ｄ上に種子Ｓを確実に排出することができ、分離杆部６の更なる下降により土壌Ｄ上の種子Ｓを分離杆部６の先端部で確実に土壌Ｄ中に押し込むことができ、良好に播種作業を行うことができ、播種後、上記持柄部１を持ち上げて上記種子排出部５を土壌Ｄから離反し、この分離杆部６の持ち上げにより、図６から図５の如く、上記種子収納部３及び種子排出部５が分離杆部６に対して下降摺動するとき、種子収納部３及び種子排出部５は、上記復帰用バネ９により停留機構１１に打ち勝って分離杆部６上を下降し、図２の如く、種子収納部３及び種子排出部５はストッパー部１０により元の下降摺動限度位置まで降下することになり、又、この場合、上記停留機構１１として、上記分離杆部６に停留溝部６ａを設け、上記種子収納部３に停留溝部６ａに嵌脱可能な嵌脱ピン１１ａを摺動自在に設け、嵌脱ピン１１ａを停留溝部６ａに嵌脱させる嵌脱用バネ１１ｂを設けてなるから、分離杆部６の下降摺動が確実に一時停留され、播種後の持柄杆１の持ち上げによる分離杆部６の上昇時において、復帰用バネ９のバネ圧により分離杆部６の停留溝部６ａを停留機構１１の嵌脱ピン１１ａが確実に乗り越え、図５の一時停留状態を円滑に経て、上記種子収納部３及び種子排出部５は上記復帰用バネ９により停留機構１１の嵌脱用バネ１１ｂに打ち勝って分離杆部６上を下降し、種子収納部３及び種子排出部５はストッパー部１０により元の下降摺動限度位置に確実に降下し、図６の如く、土壌Ｄ上の種子Ｓを分離杆部６の先端部で確実に土壌Ｄ中に押し込むことができ、図７の如く、持柄部１の押下及び持ち上げ操作Ｋにより播種作業を行うことができ、楽な姿勢で容易に播種作業を行うことができる。
【００１８】
又、この場合、図７の如く、上記持柄部１は伸縮調節自在に設けられているから、作業者Ｎの身長等に適合することができ、播種作業を良好に行うことができ、又、上記種子収納部３及び種子排出部５は外部から内部を透視可能な透明部材により形成されているから、種子Ｓの残量や分離状態を視認することができ、使用の利便性を高めることができる。
【００１９】
尚、本発明は上記実施の形態例に限られるものではなく、持柄部１、播種部２、種子収納部３、種子分離部４、種子排出部５、分離杆部６、停留溝部６ａ、受入凹部７、分離板部８、復帰用バネ９、ストッパー部１０、停留機構１１の構造や形態、材質等は適宜変更して設計される。
【００２０】
以上、所期の目的を充分達成することができる。
【符号の説明】
【００２１】
Ｓ    種子
Ｄ    土壌
１    持柄部
２    播種部
３    種子収納部
４    種子分離部
５    種子排出部
６    分離杆部
６ａ    停留溝部
７    受入凹部
８    分離板部
９    復帰用バネ
１０    ストッパー部
１１    停留機構
１１ａ    嵌脱ピン
１１ｂ    嵌脱用バネ
【図１】
2014209875.tif 000003
【図２】
2014209875.tif 000004
【図３】
2014209875.tif 000005
【図４】
2014209875.tif 000006
【図５】
2014209875.tif 000007
【図６】
2014209875.tif 000008
【図７】
2014209875.tif 000009